【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
所定のデバイスに備えられる感光体の消耗状態を管理する感光体管理装置であって、
異なる複数の消耗パラメータに基づいて前記感光体の消耗量を算定する算定手段と、
前記算定手段により算定される前記感光体の消耗量に基づいて、前記感光体が交換規定量に達する時期を予測する予測手段と、
を備えることを特徴とする感光体管理装置。
【請求項２】
前記複数の消耗パラメータは、前記感光体の回転数と、前記感光体を帯電させる帯電電流量とを含むことを特徴とする請求項１記載の感光体管理装置。
【請求項３】
前記算定手段は、測定される前記感光体が使用される環境の湿度を含めて、異なる複数の消耗パラメータに基づいて前記感光体の消耗量を算定することを特徴とする請求項１または２記載の感光体管理装置。
【請求項４】
前記予測手段は、測定される前記感光体の表面の粗さ情報を含めて、前記算定手段により算定される前記感光体の消耗量に基づいて、前記感光体が交換規定量に達する時期を予測することを特徴とする請求項１乃至３のいずれかに記載の感光体管理装置。
【請求項５】
前記感光体は、表面保護層を有していることを特徴とする請求項１乃至４のいずれかに記載の感光体管理装置。
【請求項６】
前記感光体の消耗量の周期的変動と前記感光体の消耗量変動の傾向のいずれか一方あるいは両方を示すデータを少なくとも蓄積するデータ蓄積手段と、
前記予測手段により予測された交換規定量に達する時期を、前記データ蓄積手段に蓄積されたデータを参照して補正する補正手段と、
を有することを特徴とする請求項１乃至５のいずれかに記載の感光体管理装置。
【請求項７】
前記所定のデバイスとは所定の通信手段により接続されることを特徴とする請求項１乃至６のいずれかに記載の感光体管理装置。
【請求項８】
前記所定のデバイスに対応する感光体の消耗度に応じた予測される交換時期を複数記憶し、かつ、交換時期毎に前記感光体の交換数量を算出する感光体管理手段を有することを特徴とする請求項１乃至７のいずれかに記載の感光体管理装置。
【請求項９】
前記所定のデバイスは、印刷装置と表示装置とを含むことを特徴とする請求項１乃至８のいずれかに記載の感光体管理装置。
【請求項１０】
前記予測手段により予測された時期に基づいて、所定の出力を行う出力手段を設けたことを特徴とする請求項１乃至９のいずれかに記載の感光体管理装置。
【請求項１１】
前記出力手段は、前記感光体を含む感光体の交換を促す警告を出力する出力手段を有することを特徴とする請求項１０記載の感光体管理装置。
【請求項１２】
前記出力手段は、前記感光体を含む感光体の交換を促す警告を所定のデバイスの操作部、あるいは通信可能な外部器に対して出力することを特徴とする請求項１１に記載の感光体管理装置。
【請求項１３】
所定のデバイスに備えられる感光体の消耗状態を管理する感光体管理装置における感光体管理方法であって、
算定手段が、異なる複数の消耗パラメータに基づいて前記感光体の消耗量を算定する算定ステップと、
予測手段が、前記算定ステップにより算定される前記感光体の消耗量に基づいて、前記感光体が交換規定量に達する時期を予測する予測ステップと、
出力手段が、前記予測ステップにより予測された時期までに前記感光体を含む感光体の交換を促す警告を出力する出力ステップと、
を備えることを特徴とする感光体管理方法。
【請求項１４】
前記複数の消耗パラメータは、前記感光体の回転数と、前記感光体を帯電させる帯電電流量とを含むことを特徴とする請求項１３記載の感光体管理方法。
【請求項１５】
前記算定ステップは、測定される前記感光体が使用される環境の湿度に含めて、異なる複数の消耗パラメータに基づいて前記感光体の消耗量を算定することを特徴とする請求項１３または１４記載の感光体管理方法。
【請求項１６】
前記予測ステップは、測定される前記感光体の表面の粗さ情報を含めて、前記算定ステップにより算定される前記感光体の消耗量に基づいて、前記感光体が交換規定量に達する時期を予測することを特徴とする請求項１３乃至１５のいずれかに記載の感光体管理方法。
【請求項１７】
前記感光体は、表面保護層を有していることを特徴とする請求項１３乃至１６のいずれかに記載の感光体管理方法。
【請求項１８】
蓄積手段が、前記感光体の消耗量の周期的変動と前記感光体の消耗量変動の傾向のいずれか一方あるいは両方を示すデータを少なくとも蓄積するデータ蓄積ステップと、
補正手段が、前記予測ステップにより予測された交換規定量に達する時期を、前記データ蓄積ステップで蓄積されたデータを参照して補正する補正ステップと、
を有することを特徴とする請求項１３乃至１７のいずれかに記載の感光体管理方法。
【請求項１９】
前記所定のデバイスとは所定の通信手段により接続されることを特徴とする請求項１３乃至１８のいずれかに記載の感光体管理方法。
【請求項２０】
感光体管理手段が、前記所定のデバイスに対応する感光体の消耗度に応じた予測される交換時期を複数記憶し、かつ、交換時期毎に前記感光体の交換数量を算出する感光体管理ステップを有することを特徴とする請求項１３乃至１９のいずれかに記載の感光体管理方法。
【請求項２１】
前記所定のデバイスは、印刷装置と表示装置とを含むことを特徴とする請求項１３乃至２０のいずれかに記載の感光体管理方法。
【請求項２２】
出力手段が、前記予測ステップにより予測された時期に基づいて、所定の出力を行う出力ステップを設けたことを特徴とする請求項１３乃至２１のいずれかに記載の感光体管理方法。
【請求項２３】
前記出力ステップは、前記感光体を含む感光体の交換を促す警告を出力する出力ステップを有することを特徴とする請求項１３乃至２１のいずれかに記載の感光体管理方法。
【請求項２４】
前記出力ステップは、前記感光体を含む感光体の交換を促す警告を所定のデバイスの操作部、あるいは通信可能な外部器に対して出力することを特徴とする請求項２３に記載の感光体管理装置。
【請求項２５】
請求項１３乃至２４のいずれかに記載の感光体管理方法を実行させるためのプログラムを格納したことを特徴とするコンピュータが読み取り可能な記憶媒体。
【請求項２６】
請求項１３乃至２４のいずれかに記載の感光体管理方法を実行させることを特徴とするプログラム。
【手続補正２】
【補正対象書類名】明細書
【補正対象項目名】００１３
【補正方法】変更
【補正の内容】
【００１３】
本発明に係る感光体管理装置は、以下の特徴的構成を備える。
所定のデバイスに備えられる感光体の消耗状態を管理する感光体管理装置であって、異なる複数の消耗パラメータに基づいて前記感光体の消耗量を算定する算定手段と、前記算定手段により算定される前記感光体の消耗量に基づいて、前記感光体が交換規定量に達する時期を予測する予測手段とを備えることを特徴とする。
【手続補正３】
【補正対象書類名】明細書
【補正対象項目名】００１４
【補正方法】変更
【補正の内容】
【００１４】
本発明に係る感光体管理方法は、以下の特徴的構成を備える。
所定のデバイスに備えられる感光体の消耗状態を管理する感光体管理装置における感光体管理方法であって、算定手段が、異なる複数の消耗パラメータに基づいて前記感光体の消耗量を算定する算定ステップと、予測手段が、前記算定ステップにより算定される前記感光体の消耗量に基づいて、前記感光体が交換規定量に達する時期を予測する予測ステップと、出力手段が、前記予測ステップにより予測された時期までに前記感光体を含む感光体の交換を促す警告を出力する出力ステップとを備えることを特徴とする。